(57)【要約】【課題】  シェーディング補正読取部材に汚れがつかないようにすることができる画像読取装置を提供する。【解決手段】  等倍イメージセンサ５を用いたシート原稿移動型の画像読取装置において、軸１４を中心に回転可能なアーム８の一端にシェーディング補正読取部材７を、アーム８の他端に白色ローラ６を設け、シェーディング補正読取部材７の読取時にはシェーディング補正読取部材７を等倍イメージセンサ５上へ回転移動し、原稿読取時には白色ローラ６を等倍イメージセンサ５上に回転移動するようにした。【選択図】        図１
2005210533.tif 000002
【特許請求の範囲】
【請求項１】
等倍イメージセンサを用いたシート原稿移動型の画像読取装置において、軸を中心に回転可能なアームの一端にシェーディング補正読取部材を、アームの他端に白色ローラを設け、シェーディング補正読取部材の読取時にはシェーディング補正読取部材を等倍イメージセンサ上へ回転移動し、原稿読取時には白色ローラを等倍イメージセンサ上に回転移動するようにしたことを特徴とする画像読取装置。
【請求項２】
請求項１記載の画像読取装置において、シェーディング補正読取部材が白色基準板であることを特徴とする画像読取装置。
【請求項３】
請求項１記載の画像読取装置において、アームは伸縮可能な構造を有し、かつ円弧状のガイド板で径方向の位置規制がなされることを特徴とする画像読取装置。
【発明の詳細な説明】
【技術分野】
【０００１】
本発明は、等倍イメージセンサを固定とし、原稿を搬送することにより、その原稿の画像を読み取るようにしたシート原稿移動型画像読取装置に関する。
【背景技術】
【０００２】
等倍イメージセンサを用いたシート原稿移動型画像読取装置においては、原稿の画像情報を読み取る際に原稿を等倍イメージセンサに押し付けるための読取ローラが等倍イメージセンサの対向部に設置されている。通常、この読取ローラは等倍イメージセンサの読取感度を良くするために白色のものが用いられている。またこの白色の読取ローラはシェーディング補正用の白基準として用いられることもある。
しかし、このようなシステムの場合には、読取ローラが原稿の裏面に直接接触するので、原稿の裏面に汚れがついている場合などには、白色の読取ローラに汚れが移ってしまう。つまりシェーディング補正時に必要となる白基準が汚れてしまい、正確なシェーディング補正ができなくなってしまう。この問題を避けるには、例えば、特許文献１に記載の技術がある。
即ち、上記公報には、読み取り位置に対向配置された読取ローラの周辺の一部に軸方向に延びる溝（凹入溝）を形成し、その凹入溝の底面部をシェーディングデータ生成のための基準白色部とすることにより、原稿の搬送によっても基準白色部が汚れにくくなるようにした技術が開示されている。
【特許文献１】特開平５−３１９６１３号公報
【発明の開示】
【発明が解決しようとする課題】
【０００３】
しかしこの技術では、原稿の搬送量が増えるにつれて発生する紙粉や埃などが読取ローラの凹入溝の中に溜まってしまい、清掃したとしても清掃性が悪く、元の白色状態への回復が困難である。また、凹入溝構造によるため、読取部の光源からの光の照射によって読取ローラ周面に形成した凹入溝の影ができ、原稿を読み取った場合の画像品質を低下させてしまうという不具合が発生する。
本発明は上記問題点を解決し、シェーディング補正読取部材に汚れがつかないようにすることができる画像読取装置を提供することを目的とするものである。
【課題を解決するための手段】
【０００４】
上記目的を達成するために、請求項１記載の発明は、等倍イメージセンサを用いたシート原稿移動型の画像読取装置において、軸を中心に回転可能なアームの一端にシェーディング補正読取部材を、アームの他端に白色ローラを設け、シェーディング補正読取部材の読取時にはシェーディング補正読取部材を等倍イメージセンサ上へ回転移動し、原稿読取時には白色ローラを等倍イメージセンサ上に回転移動するようにした画像読取装置を最も主要な特徴とする。
請求項２記載の発明は、請求項１記載の画像読取装置において、シェーディング補正読取部材が白色基準板である画像読取装置を主要な特徴とする。
請求項３記載の発明は、請求項１記載の画像読取装置において、アームは伸縮可能な構造を有し、かつ円弧状のガイド板で径方向の位置規制がなされる画像読取装置を主要な特徴とする。
【発明の効果】
【０００５】
本発明によれば、シェーディング補正読取部材が原稿に接触することがないので、原稿の読取を重ねてもシェーディング補正読取部材が汚れることなく、常に良好なシェーディング補正用データを読み取ることができる。
また、白色基準板が原稿に接触することがないので、原稿の読取を重ねても白色基準板が汚れることなく、常に良好なシェーディング補正用データを読み取ることができる。
また、アームがガイド板に押し当てられることで短くなるので、アームをコンパクトに収容することができる。
【発明を実施するための最良の形態】
【０００６】
以下、本発明の実施の形態を図面に従って説明する。
図１は本発明の実施形態に係る画像読取装置の概略構成図である。本画像読取装置は、図１に示すように、原稿のサイズを検知するサイズ検知センサ１、原稿が画像読取装置に挿入されたことを検知する原稿挿入センサ２、原稿を搬送する入口ローラ３、原稿が画像読取装置にあるかどうかを検知するレジストセンサ４、原稿の画像情報を読み取る等倍イメージセンサ５、等倍イメージセンサ５と対向する位置に設けた白色ローラ６、シェーディング補正読取部（例えば白色基準板）７、白色ローラ６とシェーディング補正読取部７を接続するアーム８、排紙ローラ９を配置する。符号１０は入口ローラ３とニップした搬送クラッチである。アーム８は軸１４を中心に２つの部分からなっており、２つの部分は軸１４を中心に一体回転する。軸１４の外周には、タイミングベルト１２を巻掛けるプーリ１４ａが固定配置される。従って、プーリ１４ａが回転することにより、アーム８も回転する。
図２は図１に示す画像読取装置における要部斜視図である。原稿搬送用のローラ（入口ローラ３、白色ローラ６、排紙ローラ９）はステッピングモータ１１により、タイミングベルト１２を介して搬送クラッチ１０→各ローラに伝達される。また、アーム８もステッピングモータ１１により回転駆動され、さらに白色ローラ６は、白色ローラ６の対向する位置で等倍イメージセンサ５がない場所に配置された、ステッピングモータ１１により駆動される歯車１３で回転する。
この画像読取装置において、まず原稿面を表（上向き）にして挿入すると、サイズ検知センサ１は通過する原稿の前端と後端の通過タイミングからそのサイズを認識し、それと同時に原稿挿入センサ２は原稿が挿入されたことを検知する。これらの検知信号は図示しない制御部に入力される。すると制御部はステッピングモータ１１の回転駆動を開始し、搬送クラッチ１０がオンになり、原稿は入口ローラ３にくわえ込まれ、その後レジストセンサ４手前までプレ搬送される。
そして画像読取装置のスキャン開始ボタン（図示を省略）が押されると、ステッピングモータ１１が駆動することでアーム８が図１の状態から１８０度回転し、等倍イメージセンサ５上にシェーディング補正読取部７が移動する（図４）。またこの場合、前回の画像読取後にアーム８を回転させ、あらかじめ等倍イメージセンサ５上にシェーディング補正読取部７を移動させておいてもよい。
そして、等倍イメージセンサ５でシェーディング補正読取部７を読み取り、シェーディング補正用のデータを取得する。データを取得した後、直ちにアーム８が再び回転を始め、等倍イメージセンサ５上に白色ローラ６を移動させる。そして他のローラを回転させると同時に白色ローラ６も回転させ、等倍イメージセンサ５で原稿画像を読み取る。
【０００７】
図３はアームの詳細構成図である。アーム８は、上下に設けた被嵌合部８−１と、２つの被嵌合部８−１によって両端部を支持された細長い嵌合部８−２と、各嵌合部８−１内に収容されて嵌合部８−２の両端部を軸方向に付勢するコイルバネ８−３とからなり、伸縮自在となっている。この例ではバネを用いているが、その他にも押縮するような構造のものなら何でもよい。嵌合部８−２の中央部に軸１４が配置される。
図４はアームの回転軌跡上にガイド板を設けた例を示す図である。図４に示すように円弧状のガイド板２０を設置することにより、等倍イメージセンサ５上にシェーディング補正読取部７を回転移動させるときには白色ローラ６を支えるアーム８が、また白色ローラ６を等倍イメージセンサ５上に回転移動させるときにはシェーディング補正読取部７を支えるアーム８がガイド板２０に押し当てられることにより収縮する。こうすることにより、役目がない一方のアーム８をコンパクトに収納することができる。
このように本発明では、原稿が搬送される原稿搬送経路上または経路下に等倍イメージセンサ５を配置し、また原稿搬送経路を挟んで等倍イメージセンサ５に対向する位置に、シェーディング補正読取部７と白色ローラ６を設けた回転可能なアーム８を配置する。シェーディング補正時には、アーム８を回転させ、シェーディング補正読取部７を等倍イメージセンサ５上に移動させる。原稿読取時には、同アーム８を再び回転させ、白色ローラ６を等倍イメージセンサ５上に移動させる。こうすることにより、シェーディング補正読取部７は原稿に接触することがなくなり、長期に亘って清掃を行わなくてもシェーディング補正の精度を維持できる。
【図面の簡単な説明】
【０００８】
【図１】本発明の実施形態に係る画像読取装置の概略構成図。
【図２】図１に示す画像読取装置における要部斜視図。
【図３】アームの詳細構成図。
【図４】アームの回転軌跡上にガイド板を設けた例を示す図。
【符号の説明】
【０００９】
５  等倍イメージセンサ
６  白色ローラ
７  シェーディング補正読取部（シェーディング補正読取部材）
８  アーム
１４  軸
【図１】
2005210533.tif 000003
【図２】
2005210533.tif 000004
【図３】
2005210533.tif 000005
【図４】
2005210533.tif 000006